(57)【特許請求の範囲】
【請求項１】
一般床部と、
前記一般床部と同一階であり前記一般床部より低く位置する低床部と、
前記低床部の周囲に位置する下壁面と、
を備え、
前記下壁面は、前記一般床部より低く位置し、
前記下壁面の少なくとも一部に暖房手段を備え、
前記暖房手段は、
基礎の立ち上がり部の屋内方に設けられた断熱材と、前記下壁面の内装材と、の間に設けられ、
前記下壁面の内部において前記断熱材と前記立ち上がり部との間には、前記暖房手段の配線を収容可能な収容部が設けられている、
建築物の暖房構造。
【請求項２】
前記下壁面より高く位置する上壁面をさらに具備し、
前記暖房手段は、前記上壁面に設けられた外部への開口部の下方に位置している、
請求項１に記載の建築物の暖房構造。
【請求項３】
前記下壁面は、前記上壁面よりも室内側に位置している、
請求項２に記載の建築物の暖房構造。
【請求項４】
前記収容部は、上方に開放可能に構成され、
上方から配管及び／又は前記配線を前記収容部に収容可能である、
請求項１から請求項３までのいずれか一項に記載の建築物の暖房構造。
【請求項５】
一般床部と、
前記一般床部と同一階であり前記一般床部より低く位置する低床部と、
前記低床部の周囲に位置する下壁面と、
を備え、
前記下壁面は、前記一般床部より低く位置し、
前記下壁面の少なくとも一部に暖房手段を備え、
前記暖房手段は、
基礎の立ち上がり部の屋内方に設けられた断熱材と、前記下壁面の内装材と、の間に設けられ、
前記下壁面の内部に、配管及び／又は配線が収容可能な収容部が設けられ、
前記収容部は、上方に開放可能に構成され、
上方から前記配管及び／又は前記配線を前記収容部に収容可能である、
建築物の暖房構造。
【請求項６】
前記収容部には、前記下壁面の内部の上端を横方向に沿って延びた横収容部が含まれている、
請求項１から請求項５までのいずれか一項に記載の建築物の暖房構造。
【請求項７】
前記下壁面は、上部に天板を備えている、
請求項１から請求項６までのいずれか一項に記載の建築物の暖房構造。
【発明の詳細な説明】
【技術分野】
【０００１】
本発明は、建築物の暖房構造の技術に関する。
【背景技術】
【０００２】
従来、建築物の暖房構造の技術は公知となっている。例えば、特許文献１に記載の如くである。
【０００３】
特許文献１には、床下空間部内に送り込んだ温風の熱を利用して床上の暖房を行う暖房構造に関する技術が記載されている。前記暖房構造においては、床下空間部の上の床にカーボングラファイトシートが敷設され、床下空間部の熱が前記カーボングラファイトシートを通じて床上に伝えられる。このような構成によって、前記暖房構造においては、床上の室内を均一的に暖めることができる。
【０００４】
また従来、１階部分の通常の床の高さを有する家屋床面と、家屋床面に隣接して当該家屋床面より低い位置で居住空間を形成する低位置床面と、を備える住宅の技術は公知となっている。例えば、特許文献２に記載の如くである。このような構成によって、屋内空間を開放的に見せることができる。
【先行技術文献】
【特許文献】
【０００５】
【特許文献１】特開２００８−２８６４３５号公報
【特許文献２】特開２０１４−１９００２９号公報
【発明の概要】
【発明が解決しようとする課題】
【０００６】
しかしながら、例えば特許文献２に記載の住宅においては、家屋床面より低い位置で居住空間を形成する低位置床面を有するため、床下空間部内に温風を送り込むようなスペースがなく、特許文献１に記載の暖房構造を採用することができない場合がある。このように、特許文献１に記載の暖房構造は、住宅の構造に応じて採用することができない場合がある点で、改善の余地があった。
【０００７】
本発明は以上の如き状況に鑑みてなされたものであり、その解決しようとする課題は、低床部を有する住宅であっても採用することができ、室内を暖めることができる建築物の暖房構造を提供するものである。
【課題を解決するための手段】
【０００８】
本発明の解決しようとする課題は以上の如くであり、次にこの課題を解決するための手段を説明する。
【０００９】
即ち、請求項１においては、一般床部と、前記一般床部と同一階であり前記一般床部より低く位置する低床部と、前記低床部の周囲に位置する下壁面と、を備え、前記下壁面は、前記一般床部より低く位置し、前記下壁面の少なくとも一部に暖房手段を備え、前記暖房手段は、基礎の立ち上がり部の屋内方に設けられた断熱材と、前記下壁面の内装材と、の間に設けられ、前記下壁面の内部において前記断熱材と前記立ち上がり部との間には、前記暖房手段の配線を収容可能な収容部が設けられているものである。
【００１０】
請求項２においては、前記下壁面より高く位置する上壁面をさらに具備し、前記暖房手段は、前記上壁面に設けられた外部への開口部の下方に位置しているものである。
【００１１】
請求項３においては、前記下壁面は、前記上壁面よりも室内側に位置しているものである。
【００１２】
請求項４においては、前記収容部は、上方に開放可能に構成され、上方から前記配管及び／又は前記配線を前記収容部に収容可能であるものである。
【００１３】
請求項５においては、一般床部と、前記一般床部と同一階であり前記一般床部より低く位置する低床部と、前記低床部の周囲に位置する下壁面と、を備え、前記下壁面は、前記一般床部より低く位置し、前記下壁面の少なくとも一部に暖房手段を備え、前記暖房手段は、基礎の立ち上がり部の屋内方に設けられた断熱材と、前記下壁面の内装材と、の間に設けられ、前記下壁面の内部に、配管及び／又は配線が収容可能な収容部が設けられ、前記収容部は、上方に開放可能に構成され、上方から前記配管及び／又は前記配線を前記収容部に収容可能であるものである。
【００１４】
請求項６においては、前記収容部には、前記下壁面の内部の上端を横方向に沿って延びた横収容部が含まれているものである。
【００１５】
請求項７においては、前記下壁面は、上部に天板を備えているものである。
【発明の効果】
【００１６】
本発明の効果として、以下に示すような効果を奏する。
【００１７】
本発明においては、低床部を有する住宅であっても採用することができ、室内を暖めることができる。
【図面の簡単な説明】
【００１８】
【図１】本発明の一実施形態に係る暖房構造を有する住宅の概略を示す模式図。
【図２】リビングの屋外側周辺の構造を示す断面模式図。
【図３】図２に示す構造のうち、上壁部周辺の構造を示す断面模式図。
【図４】図２に示す構造のうち、下壁部周辺の構造を示す断面模式図。
【図５】図２に示す構造のうち、低床部周辺の構造を示す断面模式図。
【図６】配線収容部の構成を示す模式図。
【図７】ヒータパネルの構成を示す分解斜視図。
【図８】（ａ）ヒータの構成を示す正面図。（ｂ）ヒータパネルの構成を示す正面図。
【図９】ヒータパネルの電線の配線作業を示す断面模式図。
【図１０】リビングが暖められる様子を示した模式図。
【発明を実施するための形態】
【００１９】
以下では、図１及び図２を用いて、まず本発明の一実施形態に係る暖房構造を有する住宅１の概略について説明する。
【００２０】
住宅１は、人（居住者）が居住するための複数階（例えば２階）立ての建築物である。図１においては、住宅１の１階部分のうち、特徴的な部分を模式的に示している。図１に示すように、住宅１は、同一階である１階部分に、高さが異なる２種類の床部を有している。ここで、前記２種類の床部のうち、高さが高い側の床部を「一般床部１０」と称し、高さが低い側の床部を「低床部２０」と称する。
【００２１】
一般床部１０は、一般的な住宅の１階部分の通常の高さを有する床部である。一般床部１０の床面は、１階の基準床面（１Ｆフロアライン）となる。一般床部１０の床面は、後述する基礎４０の天端４４よりも上方に位置する（図２参照）。一般床部１０を有する空間は、例えば台所１１や、ダイニング１２等として使用される。
【００２２】
低床部２０は、一般床部１０よりも低い高さを有する床部である。低床部２０の床面（ダウンフロアライン）は、１階の基準床面よりも低い位置に設けられる。低床部２０の床面は、後述する基礎４０の天端４４よりも低い位置に設けられる（図２参照）。低床部２０を有する空間は、例えばリビング２１として使用される。
【００２３】
以下では、図１を用いて、低床部２０を有する空間、すなわちリビング２１の構成について説明する。
【００２４】
なお、図１においては、紙面手前側に屋外と面する壁部が設けられるものとし、説明の便宜上、前記壁部の説明は適宜省略するものとする。
【００２５】
リビング２１は、住宅１の１階部分の屋外側に配置される。リビング２１は、屋内側において、一般床部１０を有する空間（具体的には、台所１１及びダイニング１２）と隣接している。リビング２１には、ソファ２２が配置される。リビング２１は、前記紙面手前側の壁部の他、低床部２０の外縁（周囲）に配置される３つの壁部によって、平面視略矩形状に区画される。前記３つの壁部は、屋外側壁部３０と、第一屋内側壁部３１と、第二屋内側壁部３２と、を含む。
【００２６】
屋外側壁部３０は、前記紙面手前側の壁部と同様に、リビング２１において屋外と面する壁部である。屋外側壁部３０は、上下方向中途部に屋外へ向けて開口された窓部２３を有する。なお、屋外側壁部３０の構造についての詳細な説明は後述する。
【００２７】
第一屋内側壁部３１及び第二屋内側壁部３２は、リビング２１において台所１１及びダイニング１２との境界にそれぞれ配置される壁部である。具体的には、第一屋内側壁部３１は、リビング２１において台所１１との境界に配置される。また、第二屋内側壁部３２は、リビング２１においてダイニング１２との境界に配置される。第一屋内側壁部３１及び第二屋内側壁部３２は、低床部２０の床面と、一般床部１０の床面と、を接続する。第一屋内側壁部３１及び第二屋内側壁部３２の高さは、例えば一般成人が足裏を低床部２０に付けたままで一般床部１０に着座可能な程度に設定される。第一屋内側壁部３１の手前には、ソファ２２が配置される。
【００２８】
このようなリビング２１は、一般床部１０を有する空間（台所１１や、ダイニング１２）と比べて天井高を確保し易く、また台所１１やダイニング１２と段差を介して連続して配置されるため、開放感があって居住者が集い易い空間とすることができる。
【００２９】
なお、リビング２１のうち、屋外側壁部３０の窓部２３の下方空間（窓下空間）は、日射を得られるため、本来であれば快適な空間であるが、冬季においては所謂コールドドラフトが発生し易い環境下にある。すなわち、冬季においては、リビング２１で寛いでいる居住者がコールドドラフトによって不快感を感じる場合がある。そこで、本発明の一実施形態である住宅１においては、居住者がこのような不快感を感じるのを防止するための構造（以下では「暖房構造」と称する）をリビング２１に採用している。
【００３０】
以下では、図２から図１０を用いて、前記暖房構造について詳細に説明する。
【００３１】
なお、以下では、図中に記した矢印に従って、上下方向、左右方向及び屋内外方向等をそれぞれ定義する。また、説明の便宜上、屋外側壁部３０については窓部２３よりも下方の構造を図示する。
【００３２】
前記暖房構造は、主として、基礎４０と、土間スラブ５０と、屋外側壁部３０と、低床部２０（特に、ヒータパネル２３４）と、気密シート６０と、を具備する。
【００３３】
図２から図５に示す基礎４０は、側面視で逆Ｔ字状に形成される所謂布基礎である。基礎４０は、主として立ち上がり部４２と、フーチング部４１と、を具備する。立ち上がり部４２は、フーチング部４１から立ち上るように（立ち上がり状に）形成される。立ち上がり部４２の上端面（基礎４０の天端４４）は、略水平面に形成される。
【００３４】
図２、図４及び図５に示す土間スラブ５０は、基礎４０のフーチング部４１に載置されると共に、住宅１の下方を覆うように水平方向に延出される。図２に示すように、土間スラブ５０の上側面は、グランドラインよりも上方に形成される。土間スラブ５０の上側面には、後述する低床部２０が配置される。図５に示すように、土間スラブ５０の下側面（土間スラブ５０と地面との間）には、地面の湿気が住宅１に入り込むのを防止するため、防湿シート５１が設けられる。土間スラブ５０の上側面の外縁には、下方に凹んだ凹部５２が形成される。凹部５２には、防蟻材が塗布される。なお、図５において防湿シート５１は、便宜上黒太破線にて図示している。
【００３５】
図２から図５に示す屋外側壁部３０は、上述の如くリビング２１において屋外と面する壁部である。屋外側壁部３０は、主として、上壁部１３０と、下壁部２３０と、を具備する。
【００３６】
図２から図４に示す上壁部１３０は、基礎４０の上部（天端４４）から立設される壁部である。上壁部１３０は、主として、窓部２３を有する他、屋内外方向に沿って複数の部材が積層されて形成される。具体的には、上壁部１３０は、屋外方から屋内方へ向かって、外壁材１３１と、断熱板材１３２と、上壁外側断熱パネル１３３と、上壁中央断熱材１３４と、上壁内側断熱パネル１３５と、上壁内装材１３６と、が順番に配置されて形成される。
【００３７】
外壁材１３１は、上壁部１３０において屋外に露出される（最も屋外側に配置される）ものである。
【００３８】
断熱板材１３２は、外壁材１３１から離間して屋内方に配置される。断熱板材１３２は、断熱効果を有するグラスウールボード等からなる。断熱板材１３２は、外壁材１３１との間に通気路を確保している。断熱板材１３２の下端部は、基礎４０の天端４４より若干上方に配置される。
【００３９】
上壁外側断熱パネル１３３は、断熱板材１３２と隣接して、当該断熱板材１３２の屋内方に配置される。上壁外側断熱パネル１３３は、枠体としての上壁外側パネルフレーム１４１と、断熱効果を有するグラスウール等からなる上壁外側断熱材１４２と、により形成される。上壁外側断熱材１４２は、上壁外側パネルフレーム１４１の内側に略隙間なく配置される。上壁外側断熱材１４２は、下端部が上壁外側パネルフレーム１４１に支持される。こうして、上壁外側断熱パネル１３３は、全体として断熱効果を有する。上壁外側断熱パネル１３３の下端部は、基礎４０の天端４４より若干上方に配置される。上壁外側断熱パネル１３３の下端部は、断熱板材１３２の下端部と略同一の高さに設定される。
【００４０】
上壁中央断熱材１３４は、上壁外側断熱パネル１３３と隣接して、当該上壁外側断熱パネル１３３の屋内方に配置される。こうして、上壁中央断熱材１３４は、上壁外側断熱パネル１３３と後述する上壁内側断熱パネル１３５との間の隙間に介装される。上壁中央断熱材１３４は、断熱効果を有するグラスウール等からなる。上壁中央断熱材１３４は、基礎４０の天端４４に載置されたスペーサ１４３を介して当該天端４４の上方に配置される。上壁中央断熱材１３４の下端部は、隣接する上壁外側断熱パネル１３３の下端部より若干上方に配置される。
【００４１】
上壁内側断熱パネル１３５は、上壁中央断熱材１３４と隣接して、当該上壁中央断熱材１３４の屋内方に配置される。上壁内側断熱パネル１３５は、枠体としての上壁内側パネルフレーム１４４と、断熱効果を有するグラスウール等からなる上壁内側断熱材１４５と、により形成される。上壁内側断熱材１４５は、上壁内側パネルフレーム１４４の内側に略隙間なく配置される。こうして、上壁内側断熱パネル１３５は、全体として断熱効果を有する。上壁内側断熱パネル１３５は、基礎４０の天端４４に載置された固定部材１４６・１４６を介して当該天端４４の上方に配置される。上壁内側断熱パネル１３５の下端部は、隣接する上壁中央断熱材１３４より若干上方に配置される。
【００４２】
上壁内装材１３６は、上壁部１３０において屋内に露出される（最も屋内側に配置される）ものである。上壁内装材１３６は、上壁内側断熱パネル１３５と隣接して、当該上壁内側断熱パネル１３５の屋内方に配置される。上壁内装材１３６は、基礎４０の天端４４の上方に配置される。上壁内装材１３６の下端部は、隣接する上壁内側断熱パネル１３５の下端部と略同一の高さに設定される。
【００４３】
このように、上壁部１３０においては、壁体内（外壁材１３１と上壁内装材１３６との間）に、断熱材としての効果を有する、断熱板材１３２、上壁外側断熱パネル１３３、上壁中央断熱材１３４及び上壁内側断熱パネル１３５が敷設される。これらの部材（断熱板材１３２、上壁外側断熱パネル１３３、上壁中央断熱材１３４及び上壁内側断熱パネル１３５）の上端部は、下方から窓部２３の近傍まで延びるように形成される。なお、屋外側壁部３０において窓部２３が無い部分においては、これらの部材の上端部は、下方から天井の近傍まで延びるように形成される。
【００４４】
図２から図５に示す下壁部２３０は、基礎４０の立ち上がり部４２に沿うように設けられる壁部である。下壁部２３０は、主として、屋内外方向に沿って積層される複数の部材と、カウンタ部２３６と、配線収容部２３７と、を具備する。前記複数の部材には、屋外方から屋内方へ向かって順番に配置される、下壁外側断熱板材２３１と、下壁内側断熱板材２３２と、下壁断熱パネル２３３と、ヒータパネル２３４と、下壁内装材２３５と、が設けられる。
【００４５】
下壁外側断熱板材２３１は、断熱効果を有するポリスチレンフォーム等からなる。下壁外側断熱板材２３１は、基礎４０の立ち上がり部４２に隣接して、当該立ち上がり部４２の屋内方に配置される。下壁外側断熱板材２３１は、下端部が土間スラブ５０の上側面に当接される。下壁外側断熱板材２３１は、上端部が基礎４０の天端４４より上方に配置される。下壁外側断熱板材２３１は、上端部が屋外方へ向けて屈曲される。すなわち、下壁外側断熱板材２３１は、側面視で略逆Ｌ字状に形成される。こうして、下壁外側断熱板材２３１は、基礎４０の立ち上がり部４２の屋内側面（より詳細には、当該屋内側面のうち、土間スラブ５０の上側面より上方の部分）と、基礎４０の天端４４の屋内側の一部とを、屋内側から覆うように形成される。下壁外側断熱板材２３１の上端部は、上壁部１３０の上壁外側断熱パネル１３３の下端部と略同一の高さに設定される。
【００４６】
下壁内側断熱板材２３２は、下壁外側断熱板材２３１に隣接して、当該下壁外側断熱板材２３１の屋内方に配置される。下壁内側断熱板材２３２は、断熱効果を有するグラスウールボード等からなる。下壁内側断熱板材２３２は、下端部が後述する低床部２０に当接される。また、下壁内側断熱板材２３２の上端部は、隣接する下壁外側断熱板材２３１の上端部と略同一の高さに設定される。
【００４７】
下壁断熱パネル２３３は、下壁内側断熱板材２３２から離間して屋内方に配置される。下壁断熱パネル２３３は、枠体としての下壁パネルフレーム２４１と、断熱効果を有するグラスウール等からなる下壁断熱材２４２と、により形成される。下壁断熱材２４２は、下壁パネルフレーム２４１の内側に略隙間なく配置される。こうして、下壁断熱パネル２３３は、全体として断熱効果を有する。下壁断熱パネル２３３は、下端部が後述する低床部２０に当接される。また、下壁断熱パネル２３３の上端部は、下壁外側断熱板材２３１及び下壁内側断熱板材２３２の上端部より上方に配置される。また、下壁断熱パネル２３３の上端部は、上壁部１３０の上壁中央断熱材１３４の下端部と略同一の高さに設定される。すなわち、下壁断熱パネル２３３の上端部は、上壁部１３０の上壁外側断熱パネル１３３の下端部より上方に配置される。
【００４８】
ヒータパネル２３４は、下壁断熱パネル２３３と隣接して、当該下壁断熱パネル２３３の屋内方に配置される。ヒータパネル２３４は、発熱可能に構成される。ヒータパネル２３４は、下端部が後述する低床部２０に当接される。ヒータパネル２３４の上端部及び下端部は、下壁断熱パネル２３３の上端部及び下端部とそれぞれ略同一の高さに設定される。なお、ヒータパネル２３４の構成についての詳細な説明は後述する。
【００４９】
下壁内装材２３５は、下壁部２３０において屋内に露出される（最も屋内側に配置される）ものである。下壁内装材２３５は、ヒータパネル２３４と隣接して、当該下壁断熱パネル２３３の屋内方に配置される。こうして、下壁内装材２３５は、屋内外方向において上壁部１３０の上壁内装材１３６より屋内方に配置される。下壁内装材２３５は、下端部が後述する低床部２０に当接される。下壁内装材２３５の上端部及び下端部は、ヒータパネル２３４の上端部及び下端部とそれぞれ略同一の高さに設定される。
【００５０】
このように、下壁部２３０においては、壁体内（基礎４０の立ち上がり部４２と下壁内装材２３５との間）に、断熱材としての効果を有する、下壁外側断熱板材２３１、下壁内側断熱板材２３２及び下壁断熱パネル２３３が敷設される。これらの部材（下壁外側断熱板材２３１、下壁内側断熱板材２３２及び下壁断熱パネル２３３）は、基礎４０の立ち上がり部４２の屋内側の面に沿って上下方向に延びるように配置されると共に、上端部が基礎４０の天端４４より高く位置する。また、これらの部材（下壁外側断熱板材２３１、下壁内側断熱板材２３２及び下壁断熱パネル２３３）の上方には、カウンタ部２３６が配置される。また、これらの部材（下壁外側断熱板材２３１、下壁内側断熱板材２３２及び下壁断熱パネル２３３）は、屋内外方向において、上壁部１３０の壁体内に敷設された断熱材としての効果を有する部材（断熱板材１３２、上壁外側断熱パネル１３３、上壁中央断熱材１３４及び上壁内側断熱パネル１３５）より屋内側に配置される。
【００５１】
カウンタ部２３６は、下壁部２３０の天板となるものである。カウンタ部２３６は、下壁部２３０の屋外側から屋内側に亘って架設された合板２４３・２４３に載置される。なお、合板２４３・２４３は、側面視で屋内外方向に延出された板材である。合板２４３・２４３の屋内側端部は、下壁断熱パネル２３３に載置される。また、合板２４３・２４３の屋外側端部は、後述する支持部材２４４に載置される。こうして、カウンタ部２３６は、合板２４３・２４３を介して下壁部２３０の上端部に配置される。カウンタ部２３６の上側面は、１階の基準床面と略同一に設定される（図２参照）。
【００５２】
図３及び図４、図６に示す配線収容部２３７は、配管や配線等が収容可能な部分（空間）である。配線収容部２３７は、主として、第一収容部２４６と、第二収容部２４７と、第三収容部２４８と、を具備する。
【００５３】
第一収容部２４６は、合板２４３・２４３と下壁内側断熱板材２３２と下壁断熱パネル２３３と支持部材２４４との間に区画された空間である。なお、支持部材２４４は、下壁断熱パネル２３３の上端部と高さを合わせ、固定部材１４６や図示せぬ柱等（すなわち、上壁部１３０）に取り付けられるものである。支持部材２４４は、下壁外側断熱板材２３１の上方で、上壁部１３０から屋内方へ突出される。支持部材２４４は、下壁断熱パネル２３３から屋外方に離間して配置される。
【００５４】
こうして、支持部材２４４と下壁断熱パネル２３３との間に隙間が形成されると共に、当該隙間の上方及び下方に合板２４３・２４３及び下壁内側断熱板材２３２がそれぞれ配置されることにより、側面断面視で略矩形状の空間（第一収容部２４６）が形成される。第一収容部２４６は、下壁部２３０の上端部に形成される。第一収容部２４６は、下壁部２３０の壁面方向（横方向）に沿って延びるように形成される（図６参照）。
【００５５】
第二収容部２４７は、下壁内側断熱板材２３２が壁面方向（横方向）に分断して形成された空間である。換言すれば、第二収容部２４７は、２枚の下壁内側断熱板材２３２の壁面方向における端部間と下壁外側断熱板材２３１と下壁断熱パネル２３３との間に区画された空間である。第二収容部２４７は、上下方向（縦方向）に延びるように形成される。
【００５６】
第三収容部２４８は、下壁断熱パネル２３３の下壁断熱材２４２に穿孔された孔である。第三収容部２４８は、下壁断熱材２４２の上下中途部において、屋内から屋外方向に貫通するように形成される。なお、第三収容部２４８の屋内側端部は、後述するヒータパネル２３４の第二開口部３３１と対向するように形成される。
【００５７】
こうして、配線収容部２３７は、第一収容部２４６、第二収容部２４７及び第三収容部２４８により、下壁部２３０内に配管や配線等を収容（収納）することができる。
【００５８】
なお、配線収容部２３７の内側に、例えばホース状の部材を収容させた場合には、当該ホース状の部材を用いて下壁部２３０内で空気の流通を行うこともできる。また、例えば第三収容部２４８の屋内側端部を、下壁内装材２３５の図示せぬ開口部と接続した場合には、当該開口部を空調の給気や排気とすることもできる。
【００５９】
このように構成された上壁部１３０及び下壁部２３０によって、屋外側壁部３０は、基礎４０の天端４４の近傍において、側面断面視で屋外方向と屋内方向とにズレた段差を有するような形状に形成される。
【００６０】
図２、図４及び図５に示す低床部２０は、上述の如く一般床部１０よりも低い高さを有する床部である。低床部２０は、上下方向に沿って複数の部材が積層されて形成される。具体的には、低床部２０は、下方から上方へ向かって、低床断熱材１２１と、床下地１２２と、捨貼１２３と、フロア仕上げ材１２４と、が順番に配置されて形成される。
【００６１】
低床断熱材１２１は、低床部２０において最も下方に配置されるものである。低床断熱材１２１は、断熱効果を有するポリスチレンフォーム等からなる。低床断熱材１２１は、土間スラブ５０の上側面に載置される。すなわち、低床断熱材１２１は、土間スラブ５０上に位置し、当該土間スラブ５０に直接敷設される。低床断熱材１２１は、土間スラブ５０全体を覆うように配置される。低床断熱材１２１の屋外側端部は、基礎４０の立ち上がり部４２（すなわち、下壁部２３０の下壁外側断熱板材２３１）の近傍に配置される。低床断熱材１２１の下端部は、下壁部２３０の下壁外側断熱板材２３１の下端部と略同一の高さに設定される。また、低床断熱材１２１の屋外側端部には、後述する床下地１２２等を支持する束１２５が配置される。すなわち、低床断熱材１２１は、束１２５を介して下壁外側断熱板材２３１と連続される。
【００６２】
床下地１２２は、低床断熱材１２１の上方に配置される。床下地１２２は、合板等からなる。床下地１２２は、束１２５によって下方から支持される。床下地１２２の屋外側端部は、下壁部２３０の下壁外側断熱板材２３１に当接される。
【００６３】
捨貼１２３は、床下地１２２の上方に配置される。捨貼１２３は、パーチクルボード等からなる。捨貼１２３は、床下地１２２によって下方から支持される。捨貼１２３の屋外側端部は、下壁部２３０の下壁外側断熱板材２３１に当接される。また、捨貼１２３の屋外側端部の上側面には、下壁部２３０の下壁内側断熱板材２３２、ヒータパネル２３４及び下壁断熱パネル２３３の下端部が当接される。
【００６４】
フロア仕上げ材１２４は、低床部２０において屋内に露出される（最も屋内側に配置されるもの）である。フロア仕上げ材１２４は、捨貼１２３の上方に配置される。フロア仕上げ材１２４は、捨貼１２３によって下方から支持される。フロア仕上げ材１２４の屋外側端部は、下壁部２３０のヒータパネル２３４に当接される。
【００６５】
図３から図５に示す気密シート６０は、合成樹脂や合成ゴム等の適度の弾力性を有する素材からなる。気密シート６０は、床部（一般床部１０及び低床部２０）を除いて、住宅１全体を覆うように配置される。気密シート６０は、例えば屋外側壁部３０（下壁部２３０及び上壁部１３０）においては、当該屋外側壁部３０の壁体内で当該壁体に沿って配置される。なお、図面において気密シート６０は、便宜上黒太破線にて図示している。
【００６６】
具体的には、気密シート６０は、屋外側壁部３０のうち下壁部２３０においては、下壁断熱パネル２３３とヒータパネル２３４との間から合板２４３・２４３の間に亘って配置される。また、気密シート６０は、屋外側壁部３０のうち上壁部１３０においては、上壁内側断熱パネル１３５と上壁内装材１３６との間に配置される。このような配置によって、気密シート６０は屋外側壁部３０の形状（段差を有する形状）にもかかわらず、当該形状に沿った気密ラインを容易に形成することができる。
【００６７】
以下では、図７及び図８を用いて、ヒータパネル２３４の構成について詳細に説明する。  
【００６８】
ヒータパネル２３４は、上述の如く発熱可能に構成されるものである。ヒータパネル２３４は、主として、ヒータ３１０と、第一押さえ板３２０と、第二押さえ板３３０と、を具備する。
【００６９】
ヒータ３１０は、撓み自在なシート状に形成される。ヒータ３１０は、正面視で左右方向に延出された略矩形状に形成される。ヒータ３１０は、主として、薄膜状の発熱体３１１（図面における斜線部分）と、薄膜状の図示せぬ電極と、前記電極に接続される電線３１２と、を具備する。発熱体３１１は、前方を向いて配置される。電線３１２は、屋外側壁部３０の下壁部２３０に形成された配線収容部２３７に収容され、住宅１内の電源に接続される。こうして、電線３１２を介して前記電極が通電されると、発熱体３１１が発熱する（ヒータ３１０が発熱する）。このようなヒータ３１０としては、例えばＰＴＣ（Ｐｏｓｉｔｉｖｅ  Ｔｅｍｐｅｒａｔｕｒｅ  Ｃｏｅｆｆｉｃｉｅｎｔ）ヒータが採用される。
【００７０】
第一押さえ板３２０は、板状の部材である。第一押さえ板３２０は、正面視で左右方向に延出された略矩形状に形成される。具体的には、第一押さえ板３２０は、ヒータ３１０より若干左右方向に長く形成される。第一押さえ板３２０は、左部に正面視で矩形状の第一開口部３２１を具備する。
【００７１】
第二押さえ板３３０は、板状の部材である。第二押さえ板３３０は、正面視で左右方向に延出された略矩形状に形成される。具体的には、第二押さえ板３３０は、第一押さえ板３２０と略同一の形状及び大きさに形成される。第二押さえ板３３０は、左部に正面視で矩形状の第二開口部３３１を具備する。
【００７２】
こうして、ヒータパネル２３４は、ヒータ３１０、第一押さえ板３２０及び第二押さえ板３３０が互いに組み付けられて形成される。具体的には、ヒータ３１０の前方及び後方に第一押さえ板３２０及び第二押さえ板３３０がそれぞれ配置され、ヒータ３１０が当該第一押さえ板３２０及び第二押さえ板３３０によって前後方向から挟持される。これによって、ヒータパネル２３４は、ヒータ３１０の発熱体３１１が第一押さえ板３２０と当接するように形成される。また、第一押さえ板３２０の第一開口部３２１、ヒータ３１０の電線３１２及び第二押さえ板３３０の第二開口部３３１は、前後方向に対向する位置に配置される。これによって、ヒータ３１０の電線３１２は、第一開口部３２１及び第二開口部３３１を介して、ヒータパネル２３４の前方又は後方に取り出すことができる。
【００７３】
このような構成のヒータパネル２３４においては、ヒータ３１０が発熱すると、第一押さえ板３２０が加熱される。こうして、加熱された第一押さえ板３２０の表面からは、前方へ向けた輻射熱（遠赤外線）が放出される。
【００７４】
また、下壁部２３０に設けられたヒータパネル２３４が発熱すると、当該ヒータパネル２３４の屋内方に配置された下壁内装材２３５を介して、リビング２１へ向けて輻射熱（遠赤外線）が放出される（図１０参照）。
【００７５】
以下では、図９を用いて、ヒータパネル２３４を下壁部２３０に設置した場合の、電線３１２の配線（収容）作業について説明する。
【００７６】
ヒータパネル２３４は、上述の如く下壁部２３０において、下壁断熱パネル２３３の屋内方に配置される。すなわち、ヒータパネル２３４は、下壁部２３０に設けられた断熱効果を有する全ての部材（下壁外側断熱板材２３１、下壁内側断熱板材２３２及び下壁断熱パネル２３３）より屋内方に配置される。
【００７７】
なお、本実施形態においては、下壁部２３０に、３つのヒータパネル２３４が壁面に沿って互いに隣接するように配置される（図６参照）。また、３つのヒータパネル２３４の屋内方にはそれぞれ下壁内装材２３５が配置される。ヒータパネル２３４は、下壁部２３０に設置された後、電線３１２が配線収容部２３７に収容されて住宅１内の電源に接続される。
【００７８】
具体的には、ヒータパネル２３４を設置する際、下壁部２３０のカウンタ部２３６及び合板２４３・２４３は当該下壁部２３０から取り外される。このように、カウンタ部２３６が下壁部２３０から取り外された状態では、下壁部２３０の上方（すなわち、下壁部２３０の上端面）が第一収容部２４６、第二収容部２４７、第三収容部２４８を順番に介して、ヒータパネル２３４の第二押さえ板３３０の第二開口部３３１と連通される。すなわち、カウンタ部２３６が下壁部２３０から取り外された状態では、配線収容部２３７が上方へ開放される。このように、本実施形態において、配線収容部２３７は、上方に開放可能に構成されている。
【００７９】
すなわち、ヒータパネル２３４の電線３１２は、第二開口部３３１から延出されると共に、第三収容部２４８及び第二収容部２４７を順番に収容され、下壁部２３０の上方へと取り出される。下壁部２３０の上方へ取り出された電線３１２は、上方から第一収容部２４６に沿うように配置し、住宅１内の電源側へ向けて延出させることができる。このように、ヒータパネル２３４の電線３１２は、配線収容部２３７に収容され、住宅１内の電源側へ向けて延出された後、当該電源に接続される。
【００８０】
こうして、ヒータパネル２３４の電線３１２が住宅１内の電源に接続されると、カウンタ部２３６及び合板２４３・２４３が下壁部２３０に取り付けられる。すなわち、配線収容部２３７がカウンタ部２３６及び合板２４３・２４３によって上方から被覆される。これによって、ヒータパネル２３４を設置した場合の、電線３１２の配線作業が終了する。
【００８１】
このように、ヒータパネル２３４を設置した場合の電線３１２の配線作業においては、カウンタ部２３６及び合板２４３・２４３が下壁部２３０から取り外されるため、当該下壁部２３０の上方から電線３１２を住宅１内の電源に容易に接続することができる。また、下壁部２３０の上方から電線３１２を配線収容部２３７に収容することができるため、電線３１２の配線（収容）作業を容易に行うことができる。
【００８２】
なお、本実施形態においては、ヒータパネル２３４を設置する際に、カウンタ部２３６及び合板２４３・２４３が下壁部２３０から取り外される構成であったが、電線３１２の配線作業はこの手順に限定するものではない。具体的には、ヒータパネル２３４を設置した後に、カウンタ部２３６及び合板２４３・２４３が下壁部２３０に取り付けられる構成であってもよい。このような構成によれば、電線３１２の配線作業を行う場合に、（一旦取り付けられた）カウンタ部２３６及び合板２４３・２４３を取り外す手間が必要なくなるため、当該電線３１２の配線作業の効率化を図ることができる。
【００８３】
以下では、屋外側壁部３０及び低床部２０に設けられた断熱材（断熱効果を有する部材）の配置構成について説明する。
【００８４】
ここで上述の如き、屋外側壁部３０のうち上壁部１３０には、断熱効果を有する部材として、断熱板材１３２、上壁外側断熱パネル１３３、上壁中央断熱材１３４及び上壁内側断熱パネル１３５が設けられる。また、屋外側壁部３０のうち下壁部２３０には、断熱効果を有する部材として、下壁外側断熱板材２３１、下壁内側断熱板材２３２及び下壁断熱パネル２３３が設けられる。また、低床部２０には、断熱効果を有する部材として、低床断熱材１２１が設けられる。
【００８５】
まず、低床部２０において、低床断熱材１２１は土間スラブ５０上に直接敷設される。また、低床断熱材１２１の屋外側端部は、低床断熱材１２１は、束１２５を介して下壁外側断熱板材２３１と接続される。このように、低床部２０から下壁部２３０にかけての箇所は、断熱材が連続して配置されている。したがって、低床部２０から下壁部２３０にかけての箇所から、住宅１内（特に低床部２０の上方のリビング２１）が外気温の影響を受けるのを抑制することができる。
【００８６】
また、屋外側壁部３０において、下壁部２３０の下壁断熱パネル２３３の上端部は、上壁部１３０の上壁外側断熱パネル１３３の下端部より上方に配置される。すなわち、屋外側壁部３０においては、上下方向において、下壁断熱パネル２３３と上壁外側断熱パネル１３３とが連続して配置されている。また、屋外側壁部３０において、下壁外側断熱板材２３１と上壁内側断熱パネル１３５とが、屋内外方向において、互いに隣り合うように並設されることによって、概ね連続（近接）して配置されている。特に、屋外側壁部３０において、下壁部２３０の下壁外側断熱板材２３１の上端部は、上壁部１３０の上壁内側断熱パネル１３５の下方の固定部材１４６と当接されている。すなわち、屋外側壁部３０においては、屋内外方向において、下壁外側断熱板材２３１と上壁内側断熱パネル１３５とが連続して配置されている。
【００８７】
また、屋外側壁部３０において、下壁部２３０の下壁外側断熱板材２３１は、上端部が基礎４０の天端４４以上高くに位置する（本実施形態においては、天端４４よりも上方に位置する）。すなわち、屋外側壁部３０においては、上下方向において、下壁外側断熱板材２３１と上壁外側断熱パネル１３３とが、概ね連続（近接）して配置されている。
【００８８】
このように、屋外側壁部３０においては、上壁部１３０と下壁部２３０とが接続される箇所に段差を有する形状であるが、当該接続される箇所に、上下方向及び屋内外方向に断熱材が略隙間なく配置されている。したがって、当該接続される箇所（段差を有する箇所）から、住宅１内（特に、屋外側壁部３０に面するリビング２１）が外気温の影響を受けるのを抑制することができる。なお、断熱材の長さ（大きさ）や、種類等は、住宅１が建てられる場所の気候（断熱の必要性）等に応じて適宜設定することができる。
【００８９】
図１０に示すように、このような構成のリビング２１においては、ヒータパネル２３４が発熱すると、当該ヒータパネル２３４の屋内方に配置された下壁内装材２３５を介して、リビング２１へ向けて輻射熱（遠赤外線）が放出される。リビング２１へ向けて輻射熱（遠赤外線）が放出されると、リビング２１の中心側が暖められると共に、輻射熱の一部が屋外側壁部３０の壁面に沿って上昇する。こうして、輻射熱の一部が屋外側壁部３０の壁面に沿って上昇すると、コールドドラフトの発生を抑制することができる。
【００９０】
また、屋外側壁部３０及び低床部２０に設けられた断熱材が、上壁部１３０と下壁部２３０とが接続される箇所に略隙間なく配置され、且つ低床部２０から下壁部２３０にかけての箇所に略隙間なく配置されることによって、リビング２１が外気温の影響を受けるのを抑制している。このような構成によって、リビング２１で寛いでいる居住者が不快感を感じるのを抑制することができる。
【００９１】
なお、図１０においては、ヒータパネル２３４を、屋外側壁部３０の下壁部２３０だけでなく、第二屋内側壁部３２に設置している。このような構成によれば、リビング２１を一方向（屋外側）からだけでなく、他方向（ダイニング１２側）からも暖めることができるため、より効果的にリビング２１を暖めることができる。なお、ヒータパネル２３４の設置場所は、リビング２１の間取りに応じて任意に設定することができる。本実施形態においては、第一屋内側壁部３１の手前にはソファ２２（障害物）が配置されるため、当該第一屋内側壁部３１にヒータパネル２３４は設置していない。
【００９２】
以上のように、本発明の一実施形態に係る住宅１（建築物）の暖房構造は、
一般床部１０と、
前記一般床部１０と同一階であり前記一般床部１０より低く位置する低床部２０と、
前記低床部２０の周囲に位置する下壁部２３０の壁面（下壁面）と、
を備え、
前記下壁部２３０の壁面（下壁面）は、前記一般床部より低く位置し、
前記下壁部２３０の壁面（下壁面）の少なくとも一部にヒータパネル２３４（暖房手段）を備えているものである。
【００９３】
このような構成により、下壁部２３０の壁面の少なくとも一部にヒータパネル２３４を備えているため、低床部２０を有するリビング２１を暖めることができる。
【００９４】
また、本発明の一実施形態に係る住宅１（建築物）の暖房構造においては、
前記下壁部２３０の壁面（下壁面）より高く位置する上壁部１３０の壁面（上壁面）をさらに具備し、
前記ヒータパネル２３４（暖房手段）は、前記上壁部１３０の壁面（上壁面）に設けられた窓部２３（外部への開口部）の下方に位置している。
【００９５】
このような構成により、コールドドラフトの発生を効果的に抑制することができる。
【００９６】
また、本発明の一実施形態に係る住宅１（建築物）の暖房構造において、
前記下壁部２３０の壁面（下壁面）は、前記上壁部１３０の壁面（上壁面）よりも室内側に位置しているものである。
【００９７】
このような構成により、ヒータパネル２３４をリビング２１の中心に近い位置に配置することができるため、リビング２１を効果的に暖めることができる。
【００９８】
また、本発明の一実施形態に係る住宅１（建築物）の暖房構造においては、
前記下壁部２３０の壁面（下壁面）の内部に、電線３１２が収容可能な配線収容部２３７が設けられているものである。
【００９９】
このような構成により、ヒータパネル２３４の電線３１２の納まりを向上させることができる。
【０１００】
また、本発明の一実施形態に係る住宅１（建築物）の暖房構造において、
前記配線収容部２３７は、上方に開放可能に構成され、
上方から前記電線３１２（配管及び／又は配線）を前記配線収容部２３７に収容可能であるものである。
【０１０１】
このような構成により、電線３１２の収容（配線）作業を容易に行うことができる。
【０１０２】
また、本発明の一実施形態に係る住宅１（建築物）の暖房構造において、
前記配線収容部２３７には、前記下壁部２３０の壁面（下壁面）の内部の上端を横方向に沿って延びた第一収容部２４６（横収容部）が含まれているものである。
【０１０３】
このような構成により、ヒータパネル２３４の電線３１２の納まりを向上させることができる。
【０１０４】
また、本発明の一実施形態に係る住宅１（建築物）の暖房構造において、
前記下壁部２３０の壁面（下壁面）は、上部にカウンタ部２３６（天板）を備えているものである。
【０１０５】
このような構成により、ヒータパネル２３４の電線３１２の配線作業を容易に行うことができる。
【０１０６】
なお、本実施形態に係る住宅１は、本発明に係る建築物の一実施形態である。
また、本実施形態に係る屋外側壁部３０の壁面は、本発明に係る壁面の一実施形態である。
また、本発明に係るヒータパネル２３４は、本発明に係る暖房手段の一実施形態である。
また、本実施形態に係る一般床部１０は、本発明に係る一般床部の一実施形態である。
また、本実施形態に係る低床部２０は、本発明に係る低床部の一実施形態である。
また、本実施形態に係る上壁部１３０の壁面は、本発明に係る上壁面の一実施形態である。
また、本実施形態に係る下壁部２３０の壁面は、本発明に係る下壁面の一実施形態である。
また、本実施形態に係る電線３１２は、本発明に係る配線の一実施形態である。
また、本実施形態に係る配線収容部２３７は、本発明に係る収容部の一実施形態である。
また、本実施形態に係る第一収容部２４６は、本発明に係る横収容部の一実施形態である。
また、本実施形態に係るカウンタ部２３６は、本発明に係る天板の一実施形態である。
【０１０７】
以上、本発明の実施形態を説明したが、本発明は上記構成に限定されるものではなく、特許請求の範囲に記載された発明の範囲内で種々の変更が可能である。
【０１０８】
例えば、本発明に係る建築物は、住宅１に限定するものでなく、オフィスビルや、病院、学校等であってもよい。
【０１０９】
また、本実施形態において、低床部２０は、リビング２１に設けられるものとしたが、台所１１やダイニング１２等に設けられてもよい。また、低床部２０は、１階に設けられたが、２階等であってもよい。
【０１１０】
また、断熱材として用いられる素材は、本実施形態に係るものに限定するものではなく、ロックウールや、グラスウール等の繊維材や、ポリスチレンフォーム等の樹脂材を、適宜に採用することができる。
【０１１１】
また、下壁断熱材（下壁外側断熱板材２３１、下壁内側断熱板材２３２及び下壁断熱パネル２３３）は、基礎４０の立ち上がり部４２の屋内側の面に沿って設けられるものとしたが、基礎４０の内部に設けられてもよい。
【０１１２】
また、ヒータパネル２３４は、下壁部２３０の壁面に沿って当該壁面の全体に亘るように配置されているが、当該壁面の一部だけに配置されるものであってもよい。ただし、ヒータパネル２３４は、コールドドラフトの発生を効果的に抑制するため、窓部２３の下方に配置されることが望ましい。
【０１１３】
また、本実施形態において、下壁外側断熱板材２３１は、上端部が基礎４０の天端４４より上方に配置されるものであるが、これに限定するものではない。下壁外側断熱板材２３１は、上端部が基礎４０の天端４４以上高く位置するものであればよい。
【０１１４】
また、本発明に係る下壁断熱材は、３つの断熱材（下壁外側断熱板材２３１、下壁内側断熱板材２３２及び下壁断熱パネル２３３）を有するものとしたが、これに限定するものではない。本発明に係る下壁断熱材は、２つの断熱材（例えば、下壁外側断熱板材２３１及び下壁断熱パネル２３３）を有したり、１つの断熱材（例えば、下壁外側断熱板材２３１）を有したりするものであってもよい。本発明に係る下壁断熱材が有する断熱材の種類や数は、建築物が建てられる場所の気候等に応じて任意に設定することができる。
【符号の説明】
【０１１５】
１      住宅
１０    一般床部
２０    低床部
２１    リビング
２３    窓部
３０    屋外側壁面
１３０  上壁部
２３０  下壁部
２３４  ヒータパネル
【図１】
0006770301.tif 000002
【図２】
0006770301.tif 000003
【図３】
0006770301.tif 000004
【図４】
0006770301.tif 000005
【図５】
0006770301.tif 000006
【図６】
0006770301.tif 000007
【図７】
0006770301.tif 000008
【図８】
0006770301.tif 000009
【図９】
0006770301.tif 000010
【図１０】
0006770301.tif 000011